【手続補正書】
【提出日】平成16年6月11日(2004.6.11)
【手続補正１】
【補正対象書類名】明細書
【補正対象項目名】発明の名称
【補正方法】変更
【補正の内容】
【発明の名称】画像記録装置、画像印刷装置、方法、プログラム及び記憶媒体
【手続補正２】
【補正対象書類名】明細書
【補正対象項目名】特許請求の範囲
【補正方法】変更
【補正の内容】
【特許請求の範囲】
【請求項１】
表示画像の識別情報を受信する受信手段と、
表示画像の画像データを要求する要求手段と、
前記画像データの要求に応じて送信される画像データを記録する記録手段と、
前記要求手段による画像データの要求が許可されているか否かを表示する表示手段とを有し、
前記要求手段は、前記記録手段の状態に応じて、画像データを要求することを特徴とする画像記録装置。
【請求項２】
請求項１の画像記録装置において、
前記表示手段は、前記要求手段による画像データの要求が許可されている期間内か否かを表示することを特徴とする画像記録装置。
【請求項３】
表示画像の識別情報を受信し、
表示画像の画像データを要求し、
前記要求ステップでの画像データの要求が許可されているか否かを表示し、
前記画像データの要求に応じて送信される画像データを記録する画像記録方法であって、
前記要求ステップは、前記記録ステップの状態に応じて、画像データを要求することを特徴とする画像記録方法。
【請求項４】
請求項３の画像記録方法において、
前記表示ステップは、前記要求ステップでの画像データの要求が許可されている期間内か否かを表示することを特徴とする画像記録方法。
【請求項５】
請求項３または４の画像記録方法を実行するための画像記録プログラム。
【請求項６】
請求項３または４の画像記録方法を実行するための画像記録プログラムを記憶した記憶媒体。
【請求項７】
画像表示装置の表示画像を印刷する画像印刷装置であって、
表示画像の切り替え通知を受信する手段と、
該通知を提示する手段と、
該通知の有効期限を提示する手段と、
該通知に対する印刷指示を検出する手段と、
該通知の有効期限内の該印刷指示に応じて、該通知に対応する画像を要求する手段と、
該要求に対して送信される画像データを印刷する手段と、
印刷中の該通知に対する印刷決定を保存する手段と、
該保存した印刷決定を印刷終了後に取り出して実行する手段とを備えたことを特徴とする画像印刷装置。
【請求項８】
請求項７の画像印刷装置であって、
該受信した画像データの保存が許可されているかを検出或いは判断する手段と、
該検出或いは判断結果をもって画像データの保存を制御する手段とを更に備えたことを特徴とする画像印刷装置。
【請求項９】
画像表示装置に表示中の画像を印刷する画像印刷方法であって、
表示画像の切り替え通知を受信するステップと、
該通知を提示するステップと、
該通知の有効期限を提示するステップと、
該通知に対する印刷指示を検出するステップと、
該通知の有効期限内の該印刷指示に応じて、該通知によって渡された画像情報に対応する画像を要求するステップと、
該要求に対して送信される画像データを印刷するステップと、
印刷中の該通知に対する印刷決定を保存するステップと、
該保存した印刷決定を印刷終了後に取り出して実行するステップとを備えたことを特徴とする画像印刷方法。
【請求項１０】
請求項９の画像印刷方法であって、
該受信した画像データの保存が許可されているかを検出或いは判断するステップと、
該検出或いは判断結果をもって画像データの保存を制御するステップとを更に備えたことを特徴とする画像印刷方法。
【手続補正３】
【補正対象書類名】明細書
【補正対象項目名】０００１
【補正方法】変更
【補正の内容】
【０００１】
【発明の属する技術分野】
本発明は、画像記録装置、画像記録方法、プログラム、記憶媒体、画像印刷装置、画像印刷方法に関する。
【手続補正４】
【補正対象書類名】明細書
【補正対象項目名】０００６
【補正方法】変更
【補正の内容】
【０００６】
本発明は上記の課題に鑑みてなされたものであり、画像を表示するデジタルカメラやプロジェクタ等の機器と複数の画像記録装置または画像印刷装置とでネットワークを構築して必要な画像を必要な人のみが記録、印刷できるようにすることで、記録、印刷物の無駄を無くしたり、画像提供者が多数の記録、印刷物を作成する手間をなくしたりすることを目的とする。
【手続補正５】
【補正対象書類名】明細書
【補正対象項目名】０００７
【補正方法】変更
【補正の内容】
【０００７】
【課題を解決するための手段】
上記の目的を実現するために、本発明の画像記録装置では、表示画像の識別情報を受信する受信手段と、表示画像の画像データを要求する要求手段と、前記画像データの要求に応じて送信される画像データを記録する記録手段と、前記要求手段による画像データの要求が許可されているか否かを表示する表示手段とを有し、前記要求手段は、前記記録手段の状態に応じて、画像データを要求することで、表示中の画像を記録することができるかを、画像記録装置の使用者に知らせることができるようにする。
また、上記の目的を実現するために、本発明の画像記録方法では、表示画像の識別情報を受信し、表示画像の画像データを要求し、前記要求ステップでの画像データの要求が許可されているか否かを表示し、前記画像データの要求に応じて送信される画像データを記録する画像記録方法であって、前記要求ステップは、前記記録ステップの状態に応じて、画像データを要求することで、表示中の画像を記録することができるかを、使用者に知らせることができるようにする。
【手続補正６】
【補正対象書類名】明細書
【補正対象項目名】０００８
【補正方法】変更
【補正の内容】
【０００８】
また、上記の目的を実現するために、本発明の画像印刷装置では、画像表示装置の表示画像を印刷する画像印刷装置であって、表示画像の切り替え通知を受信する手段と、該通知を提示する手段と、該通知の有効期限を提示する手段と、該通知に対する印刷指示を検出する手段と、該通知の有効期限内の該印刷指示に応じて、該通知に対応する画像を要求する手段と、該要求に対して送信される画像データを印刷する手段と、印刷中の該通知に対する印刷決定を保存する手段と、該保存した印刷決定を印刷終了後に取り出して実行する手段とを備えることで表示中の画像を確実に印刷することができ、また印刷中に表示画像が切り替わってもこれを印刷できるようにする。
また、上記の目的を実現するために、本発明の画像印刷方法では、画像表示装置に表示中の画像を印刷する画像印刷方法であって、表示画像の切り替え通知を受信するステップと、該通知を提示するステップと、該通知の有効期限を提示するステップと、該通知に対する印刷指示を検出するステップと、該通知の有効期限内の該印刷指示に応じて、該通知によって渡された画像情報に対応する画像を要求するステップと、該要求に対して送信される画像データを印刷するステップと、印刷中の該通知に対する印刷決定を保存するステップと、該保存した印刷決定を印刷終了後に取り出して実行するステップとを備えることで表示中の画像を確実に印刷することができ、また印刷中に表示画像が切り替わってもこれを印刷できるようにする。
【手続補正７】
【補正対象書類名】明細書
【補正対象項目名】００７７
【補正方法】変更
【補正の内容】
【００７７】
印刷処理を進めたのならば、ステップ４１１で印刷ボタンのＬＥＤが消灯か（印刷ボタンが無効か）どうかを判定し、ＬＥＤが消灯していればステップ４０２へ戻って次の画像表示切替通知を調べるが、ＬＥＤが点灯あるいは点滅していればステップ４０４へ戻り、最後の画像表示切替通知に対するユーザの指示を待つ。
【手続補正８】
【補正対象書類名】明細書
【補正対象項目名】００８６
【補正方法】変更
【補正の内容】
【００８６】
図１３は、プロジェクタ３０３で表示された画像を印刷する場合で、更に印刷中も画像表示切替通知が行われる場合を示す。
【手続補正９】
【補正対象書類名】明細書
【補正対象項目名】００９７
【補正方法】変更
【補正の内容】
【００９７】
なお、本発明の他の実施例では、これまで説明した全ての実施例の構成に加えて、印刷装置に画像を格納するための大容量の画像保存手段を備え、受信した画像データを印刷する替わりに印刷装置へ順次保存し、或いは印刷と並行して画像データを順次保存する。すなわち、印刷装置は、受信した画像データを印刷するか保存するかを選択する手段を有する。更に他の実施例では、印刷装置にメモリカードスロットを装備し、ユーザは自分のメモリカードを装着することで、画像データを或いは印刷物と画像データの両方を持ち帰ることが可能となる。
【手続補正１０】
【補正対象書類名】明細書
【補正対象項目名】０１０１
【補正方法】変更
【補正の内容】
【０１０１】
【発明の効果】
以上説明したように、本発明の画像記録装置では、表示画像の識別情報を受信する受信手段と、表示画像の画像データを要求する要求手段と、前記画像データの要求に応じて送信される画像データを記録する記録手段と、前記要求手段による画像データの要求が許可されているか否かを表示する表示手段とを有し、前記要求手段は、前記記録手段の状態に応じて、画像データを要求することで、表示中の画像を記録することができるかを、画像記録装置の使用者に知らせることができる。
また、本発明の画像記録方法では、表示画像の識別情報を受信し、表示画像の画像データを要求し、前記要求ステップでの画像データの要求が許可されているか否かを表示し、前記画像データの要求に応じて送信される画像データを記録する画像記録方法であって、前記要求ステップは、前記記録ステップの状態に応じて、画像データを要求することで、表示中の画像を記録することができるかを、画像記録装置の使用者に知らせることができる。
【手続補正１１】
【補正対象書類名】明細書
【補正対象項目名】０１０２
【補正方法】変更
【補正の内容】
【０１０２】
また、本発明の画像印刷装置では、画像表示装置の表示画像を印刷する画像印刷装置であって、表示画像の切り替え通知を受信する手段と、該通知を提示する手段と、該通知の有効期限を提示する手段と、該通知に対する印刷指示を検出する手段と、該通知の有効期限内の該印刷指示に応じて、該通知に対応する画像を要求する手段と、該要求に対して送信される画像データを印刷する手段と、印刷中の該通知に対する印刷決定を保存する手段と、該保存した印刷決定を印刷終了後に取り出して実行する手段とを備えることで表示中の画像を確実に印刷することができ、また印刷中に表示画像が切り替わってもこれを印刷できる。
また、本発明の画像印刷方法では、画像表示装置に表示中の画像を印刷する画像印刷方法であって、表示画像の切り替え通知を受信するステップと、該通知を提示するステップと、該通知の有効期限を提示するステップと、該通知に対する印刷指示を検出するステップと、該通知の有効期限内の該印刷指示に応じて、該通知によって渡された画像情報に対応する画像を要求するステップと、該要求に対して送信される画像データを印刷するステップと、印刷中の該通知に対する印刷決定を保存するステップと、該保存した印刷決定を印刷終了後に取り出して実行するステップとを備えることで表示中の画像を確実に印刷することができ、また印刷中に表示画像が切り替わってもこれを印刷できる。